(57)【特許請求の範囲】
【請求項１】
通信ネットワークを通じて、特定処理を要求する電子メールを受信したときには、上記特定処理を要求する電子メールのヘッダ情報を参照して、そのヘッダ情報に含まれる宛先情報に自装置以外の特定装置を指定した電子メールアドレスが含まれているかどうかに基づいて認証をして、要求された特定処理の実行の可否を判断することを特徴とするインターネットファクシミリ装置。
【請求項２】
請求項１において、
上記特定処理は、自装置の設定情報の更新処理であることを特徴とするインターネットファクシミリ装置。
【請求項３】
請求項２において、
上記特定処理は、実行した上記設定情報の更新処理に基づく更新履歴を作成し、該更新履歴を上記特定装置に電子メールで送信する動作をさらに実行する構成としているインターネットファクシミリ装置。
【発明の詳細な説明】
【０００１】
【発明の属する技術分野】
本発明は、通信ネットワークを通じて受信した、特定処理を要求する電子メールの記載内容に基づいて、要求された特定処理をするインターネットファクシミリ装置の改良に関する。
【０００２】
【従来の技術】
インターネットファクシミリ装置は、通信ネットワークを通じて、特定処理を要求する電子メールを受信したときには、その記載内容に基づいて、要求された特定処理、例えば、自身の設定情報を更新したり、電子メールの送信元に対して自身の設定情報を参照させることができる。
【０００３】
【発明が解決しようとする課題】
ところで、このようなインターネットファクシミリ装置では、送信元のメールアドレスや、メール本文記載のパスワードなどによって、電子メールの送信元を認証して、不正な更新や参照を防止しているが、このような場合、送信元のメールアドレスが限定され、特定の通信端末器からでしか更新や参照できない不便さがあり、また、メール本文にパスワードを記載するのは面倒である。
【０００４】
本発明は、上記事情を考慮してなされたものであり、特定処理の要求ができる通信端末器が限定されず、かつ、その操作を簡便にできるインターネットファクシミリ装置を提供することを目的としている。
【０００５】
【課題を解決するための手段】
上記目的を達成するため、本発明の請求項１に記載のインターネットファクシミリ装置では、通信ネットワークを通じて、特定処理を要求する電子メールを受信したときには、上記特定処理を要求する電子メールのヘッダ情報を参照して、そのヘッダ情報に含まれる宛先情報に自装置以外の特定装置を指定した電子メールアドレスが含まれているかどうかに基づいて認証をして、要求された特定処理の実行の可否を判断することを特徴とする。
【０００６】
請求項２に記載のインターネットファクシミリ装置では、特定処理は、自装置の設定情報の更新処理であることを特徴とする。
請求項３に記載のインターネットファクシミリ装置は、特定処理が、設定情報の更新処理に基づく更新履歴を作成し、該更新履歴を上記特定装置に電子メールで送信する動作をさらに実行する構成としている。
【０００７】
【発明の実施の形態】
以下に、本発明の実施の形態について、図面とともに説明する。図１は、本発明のインターネットファクシミリ装置１の要部構成の―例を示す図、図２は、インターネットファクシミリ装置１の使用例を示す図である。
【０００８】
インターネットファクシミリ装置１には、通信端末器２を接続したしＬＡＮ（Ｎ２）を接続しており、ＬＡＮ（Ｎ２）には、インターネットＮ１が接続されている。
【０００９】
なお、ここでは、通信ネットワークとして、インターネットＮ１とＬＡＮ（Ｎ２）との組み合わせを示しているが、本発明はこの例に限られず、ＷＡＮ、ＬＡＮ、専用線などの他の種類のネットワーク、あるいは、これらの組み合わせで構成してもよい。
【００１０】
このインターネットファクシミリ装置１は、ＬＡＮ（Ｎ２）、インターネットＮ１を通じて、所定のプロトコルに基づいて、画像データを電子メールの添付ファイルとして送受することができる。また、ＬＡＮ（Ｎ２）を通じて、所定のプロトコルに基づいて、画像データを電子メールの添付ファイルとして送受することもできる。
【００１１】
インターネットファクシミリ装置１は、図１に示すように、以下の各部を制御するＣＰＵ１０と、短縮ダイヤルなどの各種設定情報や、受信データを格納するＲＡＭ１１と、制御プログラムなどを予め記憶したＲＯＭ１２と、原稿から画像データを読み取るスキャナ１３と、データを所定の記録紙に記録するプリンタ１４と、電話回線Ｌに対する接続制御をするＮＣＵ１５と、ファクシミリ通信に必要な各種信号を変復調するモデム１６と、液晶画面や各種操作キーなどで構成される操作パネル１７と、データをファクシミリ通信のためにＭＨ，ＭＲ，ＭＭＲ方式などで符号化および復号するＣＯＤＥＣ１８と、ＬＡＮ（Ｎ２）をイーサネットなどの規格に準じて接続するＬＡＮインタフェース１９とを備える。
【００１２】
このような構成によれば、例えば、サービスセンタなどに設置されたインターネットファクシミリ装置１1（図２参照）から、インターネットＮ１、ＬＡＮ（Ｎ２）を通じて、オフィスなどに設置されたインターネットファクシミリ装置１（図２参照）に登録された設定情報の更新や照会などの特定処理を要求をする電子メールを送信することによって、その要求に基づいた処理をさせることができる。
【００１３】
これについて、図３のフローチャートとともに説明する。すなわち、オフィス側のインターネットファクシミリ装置１が、インターネットＮ１、ＬＡＮ（Ｎ２）を通じて電子メールを受信すると（１００）、その電子メールに記載されるコマンドに基づいて、特定処理、例えば、設定情報の更新を要求するものであるかを判別し（１０１）、設定情報の更新を要求するものでなければ他の処理を行うが、設定情報の更新を要求するものであれば（１０１）、以下の処理を行う。
【００１４】
すなわち、その電子メールのヘッダ情報を参照し、そのヘッダ情報中、「ＣＣ（カーボンコピー）」や「ＢＣＣ（プラインドカーポンコピー）」として、自装置以外の特定装置を指定した電子メールアドレス、例えば、管理者の装置を指定したメールアドレスが含まれているかどうかに基づいて認証をする（１０２）。
【００１５】
なお、この認証は、ヘッダ情報中、「ＴＯ」として、自装置１のメールアドレスとともに管理者のメールアドレスを指定しているかを判断してもよい。
【００１６】
そして、受信メールのヘッダ情報に、管理者のメールアドレスが含まれていれば、受信メールの内容に基づいて設定情報の更新をする（１０３）。
【００１７】
続いて、更新履歴を含む通信管理記録を作成して（１０４）、作成した通信管理記録を所定形式にて、通信端末器２のメールアドレスを指定して電子メールとして送信したり、他のファクシミリ装置にファクシミリ送信したり、自装置より印字出力する（１０５）。そして、作成した通信管理記録をＲＡＭ１１に格納する（１０６）。
【００１８】
なお、このような通信管理記録は、ＨＴＭＬデータとしてＲＡＭ１１に格納しておき、アクセスのあった通信端末器２などの要求に応じて送出するようにすれば、―層利便である。
【００１９】
―方、ヘッダ情報中、自装置１以外の特定装置を指定した電子メールアドレス、例えば、管理者の装置を指定したメールアドレスが含まれていなければ、不正な更新要求であると判断して、電子メールの送信元に警告文を付けて返信したり（１０７）、あるいは無視する。
【００２０】
図4は、先述した更新要求メールの一例を示す図である。ここには、ヘッダ情報中、「ＣＣ」として、管理者の装置を指定したメールアドレスＡが記載されており、インターネットファクシミリ装置１は、このメールアドレスＡのあるなしによって認証をする。
【００２１】
また、ヘッダ情報中、「Ｓｕｂｊｅｃｔ」として、更新要求コマンドＢが記載されており、インターネットファクシミリ装置１は、この更新要求コマンドＢの存在によって、この電子メールが更新要求メールであると判断する。
【００２２】
更に、電子メールの本文中、更新内容Ｃが記載されており、インターネットファクシミリ装置１は、この更新内容Ｃによって設定情報の更新をする。
【００２３】
【発明の効果】
以上の説明からも理解できるように、本発明の請求項１に記載のインターネットファクシミリ装置では、特定処理を要求する電子メールのヘッダ情報を参照して、そのヘッダ情報に自装置以外の特定装置を指定した電子メールアドレスが含まれているかどうかに基づいて認証をして、要求された特定処理の実行の可否を判断するので、特定処理の要求ができる通信端末器が限定されず、かつ、その操作を簡便にできる。
【００２４】
特に、特定処理を要求する電子メールが、特定装置にも同報送信されることになるため、例えば、特定装置として管理者装置を設定すれば、要求メールが管理者装置にも送信されることとなり、サービスセンターなどが管理者に無断で特定処理をさせることを防止でき、そのため、不正使用の抑止効果を奏する。
【００２５】
請求項２に記載のインターネットファクシミリ装置では、特定処理は、自装置の設定情報の更新処理であるので、どの通信端末器からでも、ヘッダ情報で特定装置を指定した電子メールを送信することによって、インターネットファクシミリ装置の設定情報の更新を要求することができ、利便である。
【図面の簡単な説明】
【図１】本発明のインターネットファクシミリ装置の要部構成の―例を示す図である。
【図２】本発明のインターネットファクシミリ装置の使用例を示す図である。
【図３】インターネットファクシミリ装置の動作の―例を示すフローチャートである。
【図４】更新要求メールの―例を示す図である。
【符号の説明】
１・・・インターネットファクシミリ装置
Ｎ１・・・インターネット
Ｎ２・・・ＬＡＮ
【図１】
0004206649.tif 000002
【図２】
0004206649.tif 000003
【図３】
0004206649.tif 000004
【図４】
0004206649.tif 000005